(57)【要約】【課題】  記録媒体への複写を制限することでコンテンツの販売を的確に行うことができる。【解決手段】  ＰＣ８０６は、コピーコントロールＣＤおよび認可ＣＤが挿入されると、認可ＣＤからライセンス情報を読み取り、コピーコントロールＣＤからトラック情報を読み取る。次いで、データベースサーバ８１２に読み取ったトラック情報を送信する。データベースサーバ８１２は受信したトラック情報に対応するＣＤの情報をデータベース８１６から抽出し、ＰＣ８０６へ送信する。ＰＣ８０６はこのＣＤ情報を受信すると、ディスプレイ上に表示し、コンテンツの選択を受け付ける。ユーザが認可ＣＤに記録するべき音楽を選択すると、ＰＣ８０６は選択されたコンテンツのオーディオ情報をコピーコントロールＣＤから読み取り、認可ＣＤへ記録する。【選択図】  図８
2005327324.tif 000002
【特許請求の範囲】
【請求項１】
着脱可能なコンテンツの供給元記録媒体に記録されたコンテンツを着脱可能な供給先記録媒体に記録するコンテンツの記録制御装置であって、
前記供給先記録媒体から、該供給先記録媒体に記録可能なコンテンツの数を特定する情報を含むライセンス情報を読み取るライセンス情報読取手段と、
前記供給元記録媒体から前記ライセンス情報に対応する数の範囲内のコンテンツを読み取るコンテンツ読取手段と、
前記コンテンツ読取手段により読み取られたコンテンツを前記供給先記録媒体に記録する記録制御手段と
を備えることを特徴とするコンテンツの記録制御装置。
【請求項２】
前記供給先記録媒体はＣＤまたはＤＶＤであることを特徴とする請求項１に記載のコンテンツの記録制御装置。
【請求項３】
前記ライセンス情報は前記供給先記録媒体のオープンセッションに記録されていることを特徴とする請求項１に記載のコンテンツの記録制御装置。
【請求項４】
前記ライセンス情報は前記供給先記録媒体の容量を特定する情報を含むことを特徴とする請求項１に記載のコンテンツの記録制御装置。
【請求項５】
前記コンテンツの記録制御装置は前記コンテンツの内容を説明するコンテンツ情報を前記記録媒体の識別子と対応付けて記憶したコンテンツ情報管理サーバと接続されており、
前記供給元記録媒体から該供給元記録媒体の識別子を読み取る識別子読取手段と、
前記コンテンツ情報管理サーバに、前記識別子読取手段により読み取られた識別子を送信する識別子送信手段と、
前記識別子を受信したコンテンツ情報管理サーバから前記識別子に対応するコンテンツ情報を受信するコンテンツ情報受信手段と、
前記コンテンツ情報受信手段により受信したコンテンツ情報を表示する表示制御手段と、
前記表示制御手段により表示されたカタログに含まれるコンテンツの選択を受け付ける選択受付手段と
を更に備えることを特徴とする請求項１に記載のコンテンツの記録制御装置。
【請求項６】
前記表示制御手段は、前記コンテンツ情報のうち前記記録媒体に記録できないコンテンツ情報を表示しないことを特徴とする請求項５に記載のコンテンツの記録制御装置。
【請求項７】
前記コンテンツ情報は多数の言語により記述されるコンテンツ情報を含むことを特徴とする請求項５に記載のコンテンツの記録制御装置。
【請求項８】
前記ライセンス情報は前記言語を特定する情報を含み、前記表示制御手段は前記ライセンス情報に対応する言語のコンテンツ情報を表示することを特徴とする請求項７に記載のコンテンツの記録制御装置。
【請求項９】
前記ライセンス情報は暗号化されていることを特徴とする請求項１に記載のコンテンツの記録制御装置。
【請求項１０】
前記ライセンス情報は該ライセンス情報を復号するための少なくとも１つのライセンス情報復号キーを含むことを特徴とする請求項１に記載のコンテンツの記録制御装置。
【請求項１１】
前記読取手段により読み取られたライセンス情報を一時的に保持する保持手段と、
一時的に保持された前記情報から前記ライセンス情報復号キーを探索する探索手段と、
前記探索手段により探索されたライセンス情報復号キーを使用して一時的に保持された前記情報を復号する復号手段と
を更に備えることを特徴とする請求項１０に記載のコンテンツの記録制御装置。
【請求項１２】
前記復号手段は一時的に保持された前記情報に含まれる前記ライセンス情報復号キーの各々に続くバイトを読み出すことを特徴とする請求項１１に記載のコンテンツの記録制御装置。
【請求項１３】
着脱可能なコンテンツの供給元記録媒体に記録されたコンテンツを着脱可能な供給先記録媒体に記録するコンピュータにより実行されるコンテンツの記録制御方法であって、
前記供給先記録媒体から、該供給先記録媒体に記録可能なコンテンツの数を特定する情報を含むライセンス情報を読み取るステップと、
前記供給元記録媒体から前記ライセンス情報に対応する数の範囲内のコンテンツを読み取るステップと、
前記コンテンツ読取手段により読み取られたコンテンツを前記供給先記録媒体に記録するステップと
を備えることを特徴とするコンテンツの記録制御方法。
【請求項１４】
着脱可能なコンテンツの供給元記録媒体に記録されたコンテンツを着脱可能な供給先記録媒体に記録するコンピュータを、
前記供給先記録媒体から、該供給先記録媒体に記録可能なコンテンツの数を特定する情報を含むライセンス情報を読み取るライセンス情報読取手段、
前記供給元記録媒体から前記ライセンス情報に対応する数の範囲内のコンテンツを読み取るコンテンツ読取手段、および
前記コンテンツ読取手段により読み取られたコンテンツを前記供給先記録媒体に記録する記録制御手段として機能させることを特徴とするコンピュータプログラム。
【発明の詳細な説明】
【技術分野】
【０００１】
本発明はコンテンツの記録制御装置、記録制御方法およびコンピュータプログラムに関し、より具体的には、楽曲や映画等のコンテンツをＣＤ、ＤＶＤ等の着脱可能な記録媒体に記録するためのコンテンツの記録制御装置、記録制御方法およびコンピュータプログラムに関する。
【背景技術】
【０００２】
近年、コンビニエンスストア、ガソリンスタンド、書店、キオスク等、通常音楽やビデオを販売しない場所においてＣＤやビデオ、ＤＶＤ等を販売するようになっている。このような販売場所の多様化により、音楽会社やビデオ製作会社において製品を販売することが非常に難しくなってきている。
【０００３】
何年もの間、音楽、ビデオ、本、ゲームなどのメディアの製作者や販売者は、コンテンツの違法な複製を防止するために必要なビジネスの方法（モデル）に取り組んできた。その１つとして案出されたコピーコントロールＣＤ（ＣＣＣＤ）は、購入者がそこから楽曲をコピーすることを困難にしている。
【０００４】
【特許文献１】特開平１１−１４４３８４号公報
【発明の開示】
【発明が解決しようとする課題】
【０００５】
しかしながら、コピーコントロールＣＤの作成は、レンタル店でこれらのＣＤを貸し出しすることを困難にしているという問題があった。コピーコントロールＣＤは、ディスクからシングルトラックを合法で販売する新しい市場を開いている。これらのレンタル店において料金を払ってＣＤから１または複数のトラックをコピーするためのライセンスを含む書込みのない（ブランクの）ＣＤを販売すれば、このＣＤの販売料金は、音楽産業および企業の利益となるであろう。
【０００６】
本発明はこのような問題に鑑みてなされたものであり、その目的とするところは、記録媒体への複写を制限することでコンテンツの販売を効率的に行うことができるコンテンツの記録制御装置、記録制御方法およびコンピュータプログラムを提供することにある。
【課題を解決するための手段】
【０００７】
このような目的を達成するために、請求項１に記載の発明は、着脱可能なコンテンツの供給元記録媒体に記録されたコンテンツを着脱可能な供給先記録媒体に記録するコンテンツの記録制御装置であって、前記供給先記録媒体から、該供給先記録媒体に記録可能なコンテンツの数を特定する情報を含むライセンス情報を読み取るライセンス情報読取手段と、前記供給元記録媒体から前記ライセンス情報に対応する数の範囲内のコンテンツを読み取るコンテンツ読取手段と、前記コンテンツ読取手段により読み取られたコンテンツを前記供給先記録媒体に記録する記録制御手段とを備えることを特徴とする。
【０００８】
また、請求項２に記載の発明は、請求項１に記載のコンテンツの記録制御装置において、前記供給先記録媒体はＣＤまたはＤＶＤであることを特徴とする。
【０００９】
また、請求項３に記載の発明は、請求項１に記載のコンテンツの記録制御装置において、前記ライセンス情報は前記供給先記録媒体のオープンセッションに記録されていることを特徴とする。
【００１０】
また、請求項４に記載の発明は、請求項１に記載のコンテンツの記録制御装置において、前記ライセンス情報は前記供給先記録媒体の容量を特定する情報を含むことを特徴とする。
【００１１】
また、請求項５に記載の発明は、請求項１に記載のコンテンツの記録制御装置において、前記コンテンツのカタログの情報を記憶したカタログ情報記憶手段と、前記カタログ情報記憶手段に記憶された情報に基づくカタログを表示する表示制御手段と、前記表示制御手段により表示されたカタログに含まれるコンテンツの選択を受け付ける選択受付手段とを更に備え、前記記録制御手段は前記選択受付手段により選択を受け付けたコンテンツを記録することを特徴とする。
【００１２】
また、請求項６に記載の発明は、請求項５に記載のコンテンツの記録制御装置において、前記表示制御手段は、前記カタログに含まれるコンテンツのうち前記記録媒体に記録できないコンテンツの情報を表示しないことを特徴とする。
【００１３】
また、請求項７に記載の発明は、請求項５に記載のコンテンツの記録制御装置において、前記カタログは多数の言語により記述されるカタログを含むことを特徴とする。
【００１４】
また、請求項８に記載の発明は、請求項７に記載のコンテンツの記録制御装置において、前記ライセンス情報は前記言語を特定する情報を含み、前記表示制御手段は前記ライセンス情報に対応する言語のカタログを表示することを特徴とする。
【００１５】
また、請求項９に記載の発明は、請求項１に記載のコンテンツの記録制御装置において、前記ライセンス情報は暗号化されていることを特徴とする。
【００１６】
また、請求項１０に記載の発明は、請求項１に記載のコンテンツの記録制御装置において、前記ライセンス情報は該ライセンス情報を復号するための少なくとも１つのライセンス情報復号キーを含むことを特徴とする。
【００１７】
また、請求項１１に記載の発明は、請求項１０に記載のコンテンツの記録制御装置において、前記読取手段により読み取られたライセンス情報を一時的に保持する保持手段と、一時的に保持された前記情報から前記ライセンス情報復号キーを探索する探索手段と、前記探索手段により探索されたライセンス情報復号キーを使用して一時的に保持された前記情報を復号する復号手段とを更に備えることを特徴とする。
【００１８】
また、請求項１２に記載の発明は、請求項１１に記載のコンテンツの記録制御装置において、前記復号手段は一時的に保持された前記情報に含まれる前記ライセンス情報復号キーの各々に続くバイトを読み出すことを特徴とする。
【００１９】
また、請求項１３に記載の発明は、着脱可能なコンテンツの供給元記録媒体に記録されたコンテンツを着脱可能な供給先記録媒体に記録するコンピュータにより実行されるコンテンツの記録制御方法であって、前記供給先記録媒体から、該供給先記録媒体に記録可能なコンテンツの数を特定する情報を含むライセンス情報を読み取るステップと、前記供給元記録媒体から前記ライセンス情報に対応する数の範囲内のコンテンツを読み取るステップと、前記コンテンツ読取手段により読み取られたコンテンツを前記供給先記録媒体に記録するステップとを備えることを特徴とする。
【００２０】
また、請求項１４に記載の発明は、コンピュータプログラムであって、着脱可能なコンテンツの供給元記録媒体に記録されたコンテンツを着脱可能な供給先記録媒体に記録するコンピュータを、前記供給先記録媒体から、該供給先記録媒体に記録可能なコンテンツの数を特定する情報を含むライセンス情報を読み取るライセンス情報読取手段、前記供給元記録媒体から前記ライセンス情報に対応する数の範囲内のコンテンツを読み取るコンテンツ読取手段、および前記コンテンツ読取手段により読み取られたコンテンツを前記供給先記録媒体に記録する記録制御手段として機能させることを特徴とする。
【発明の効果】
【００２１】
本発明は、メディアの製作会社および小売会社が販売を増加させることを可能にする革新的なビジネスモデルを提供する。
【００２２】
本発明によれば、コピーコントロールＣＤを使用したコンテンツの選択、コンテンツへの支払、コンテンツの受け取りを可能にする。
【発明を実施するための最良の形態】
【００２３】
以下、本発明の実施の形態について説明する。
（前提となる技術）
本発明は、コンパクトディスクまたはディジタル多用途ディスク（ＤＶＤ）に、オーディオ、ビデオまたは手書きの原稿等のコンテンツをコピーすることを回避したり、権限を与えるシステムおよび方法を提供する。簡単に言えば、本発明は、何も記録されていない記録媒体上にライセンスを記録する機能を提供する一方、この記録媒体がコンテンツの記録を許諾または回避するための情報をプログラムへ提供することができる。本発明はこのような方法で、後に記録用のコンテンツを受け入れる機能を維持することに関するライセンス情報を記録媒体に書き込む。
【００２４】
本発明の前提となる技術を図１〜７を参照して説明する。図示を目的として、本明細書に記載のシステムは、本発明を使用してコンテンツ（例えばオーディオ、ビデオおよび手書きの原稿）を配信または制御する機構によりコンテンツを提供するために使用されるシステムのコンテキスト内にある。説明を通して、本発明を使用する会社による実施例の具体的な説明に対する参照がなされる。これらの詳細な説明は本発明の好ましい実施形態を十分に説明するために提供されるのであって、本発明の範囲を限定するものではない。本発明の範囲は特許請求の範囲で明らかにされる。
【００２５】
図１は、ディスクに記録されたライセンスを含む記録可能コンパクトディスクの記録可能な面を示す。以下、この記録可能コンパクトディスクを認可（ライセンスト）ＣＤという。認可ＣＤは、記録可能コンテンツを書き込むことができるブランクエリア１２０を含む。ディスクに更に書込みができるようにするため、ライセンスエリア１１０は、ディスクに書き込む第１のエリア群の１つに含まれる。他の実施形態では、書き込まれていない（ブランク）メディア内の他のエリアにライセンスデータを含めることができる。オーディオトラック内に含めることができるライセンスエリア１１０は、オーディオ記録のＲｅｄ  Ｂｏｏｋ標準仕様に適合するオーディオトラック内に、あるいはライセンスの記録がコンピュータによる媒体を承認する機能に影響を及ぼさない限り、ディスクに書き込まれた生データとして保存することができる。好ましい実施形態では、ライセンスエリアはトラックアットワンス（Track-At-Once）方式を使用してオープンオーディオセッションに書き込まれるオーディオトラックとしてディスクに書き込まれる。トラックを含むオーディオセッションは、オープンされたままになり、記録可能メディアは、本発明の標準に準拠したシステムにより使用可能な状態になるが、他の記録システムにとってアクセス可能なものではない。同じ好ましい実施形態において、オーディオトラックは無音でもよく、または可聴データを含んでもよい。
【００２６】
図２は、オーディオトラックにライセンスデータを埋め込む一方、オーディオには著しい影響を与えずに、トラック内にライセンス情報を提供する工程を図示する。オーディオトラックに影響を与えないこと、あるいはディスクからオーディオトラックを抽出するユーザによりアクセス可能であることに関し、オーディオトラック１４０の至るところに分散するライセンス情報１３０が図示されている。
なお、記録媒体に応じてライセンス情報はビデオトラックに記録することとしても良い。
【００２７】
図３は、ライセンス内に格納された情報の種類の好ましい実施形態を図示する。サーチＵＲＬ（Ｓｅａｒｃｈ＿ＵＲＬ）は、コンテンツを検索し、または許可情報がアクセスされるインターネット上のロケーション（場所）を提供する。ＣＤＩＤ１６０は、好ましい実施形態では固有の番号であるが、別の実施形態では固有でなくても良い。メディアタイプ（Ｍｅｄｉａ＿Ｔｙｐｅ）１７０はメディアへ記録することができるコンテンツの種類を識別する。量（Ｑｕａｎｔｉｔｙ）１８０はメディアに記録することができるコンテンツの量を識別する。この量は表現されるメディアの種類に応じたトラック、チャプタ、バイトまたはレコード長で計測することができる。ログ管理サーバＵＲＬ（Ｌｏｇ＿ＵＲＬ）１９０はメディアへ記録されるコンテンツについての情報のログが記録されるインターネット上の場所である。
【００２８】
図４は、本発明を使用するサーチ、ダウンロードおよび情報の記録に使用される方法およびシステムの好ましい実施形態を示す。記録媒体２００は本工程の間ユーザコンピュータシステム２１０内に挿入されている。ユーザコンピュータシステム２１０上で実行するデスクトップアプリケーション２２０は記録媒体２００からライセンス情報を抽出し、ＣＤの有効性を確認する。ＣＤの有効性が確認されると、デスクトップアプリケーション２２０はＵＲＬを探索して、コンテンツが格納されたインターネット上のロケーションにアプリケーションを導く。ライセンス内の容量とメディアタイプを使用してコンテンツを特定し、コンテンツ管理サーバ２３０にコンテンツのダウンロードを要求する。コンテンツがユーザコンピュータシステム２１０にダウンロードされ、使用不能なフォーマットから復号され、記録媒体２００に記録される。ログ管理サーバＵＲＬにより特定されるログ管理サーバ２６０はデスクトップアプリケーション２００から連絡を受けると、ダウンロードに関する情報のログ（図６を参照）を記録する。
【００２９】
図５は、インターネットを通じてコンテンツをダウンロードせずに記録媒体２５０に対して複写元媒体（ソースメディア）２４０からのコンテンツを記録するために使用される方法およびシステムの好ましい実施形態を示す。記録媒体２５０は本工程の始めと終わりにユーザコンピュータシステム２７０内での使用が要求される。本工程の他のステップの間、複写元媒体は記録可能メディアの代わりにコンピュータ内で使用される。ユーザコンピュータ上で実行されるデスクトップアプリケーション２２０は記録工程を制御する。デスクトップアプリケーションは記録媒体２５０からライセンス情報を抽出し本工程の間このライセンス情報を使用する。好ましい実施形態において、複写元媒体２４０はデスクトップアプリケーションにより当該媒体から抽出され、コンテンツを記録する権限が与えられていることをアプリケーションに知らせる許可情報を含む。代替の実施形態において、デスクトップアプリケーションは複写元媒体２４０からコンテンツ情報を読み出し、サーチＵＲＬにより識別されるインターネットロケーション上に配置されたカタログをアクセスすることによりコンテンツを記録する許可を決定する。デスクトップアプリケーションにより全ての記録が完了すると、ログ管理サーバＵＲＬにより特定されるログ管理サーバ２６０はデスクトップアプリケーションによりその連絡を受け、複写元媒体２４０に記録されたコンテンツについての情報（図６を参照）を記録する。
【００３０】
図６は本発明を使用してコンテンツが記録される場合に行われるログエントリの好ましい実施形態を図示する。ＣＤＩＤ２８０は記録を行う記録媒体の識別番号を含んでいる。記録タイプ２９０はコンテンツがインターネットからダウンロードしたコンテンツを使用して記録されるか、またはオリジナルの記録からコピーされるかを特定する。ＣＤＤＢディスク番号３００はオーディオディスクを識別する番号である。アーティスト名３１０はコンテンツの演奏またはレコーディングを行ったアーティストの名前を表現する。トラック名３２０は記録媒体に記録されたトラックの名前を表現する。
【００３１】
図７は、記録媒体を製造し、ディスク上にライセンスデータを配置するために使用される工程の好ましい実施形態を図示する。この工程の始めにおいて標準のブランクメディアが用意される（ステップＳ３３０）。オープンオーディオセッションがディスク上で作成される（ステップＳ３４０）。本発明において指定される基準に従いライセンスファイルが生成される（ステップＳ３５０）。ライセンスファイルは、可聴または無音の埋め込まれたオーディオファイルである（ステップＳ３６０）。ライセンスを含むオーディオファイルは、トラックアットワンス方式の記録を使用して記録される（ステップＳ３７０）。記録が完了すると、製造工程は記録媒体のセッションをクローズせずに完了する。
【００３２】
（ネットワークシステムの概要）
本発明は各サーバコンピュータに構築されたリレーショナルデータベースを利用し、これはシステムを管理し動作させるのに必要な全てのデータを含んでいる。
【００３３】
多くの装置およびコンピュータプログラムはこのデータベースを管理するコンピュータシステム（データベースシステム）と通信し、全てのトランザクションを可能にする。
【００３４】
データベースシステムは自身と通信する各装置を個別に管理する。この構造はネットワークシステム全体を非常に柔軟にし、新しい通信機器が利用可能になればこれを追加することを可能にする。
【００３５】
ネットワークシステムを使用して行われるコンテンツの選択は、広範なユーザにより利用可能ないくつかの機器を使用して実行することができる。ユーザが購入を希望するコンテンツを選択するのに最も容易で最も効率的な方法を提供することにより、本発明はコンテンツの所有者がコンテンツを販売することを可能にする。
【００３６】
図８は、本実施形態に係るネットワークシステムを概略的に示すシステム構成図である。ネットワークシステムは、パーソナルコンピュータ（ＰＣ）８０６、ログ管理サーバ８１４、データベースサーバ８１２がインターネット８００に接続されて構成されている。
【００３７】
ＰＣ８０６および街頭端末８０８は、コンテンツ選択用の機器として機能する。
【００３８】
コンテンツ選択用の機器にかかわらず、取引のうち本明細書で説明する以外の部分は従来と同じ状態のままである。コンテンツが選択されると、それに対して支払が行われ、物理的な記録媒体に配信される。
【００３９】
ＰＣ８０６はユーザにより操作され、ウェブクライアントおよびコンテンツの記録制御装置として機能する。
【００４０】
ＰＣ８０６はインターネット接続機能を有する。ＰＣ８０６を使用した購入のためのコンテンツの選択は、ユーザがクレジットカードを使用してコンテンツを購入することも可能にする。
【００４１】
データベースサーバ８１２はデータベース８１６を管理するサーバコンピュータである。データベース８１６にはＣＤに記録されたトラック情報に対応するアーティストやタイトル等の情報（以下、「ＣＤ情報」という）の集合がコピーコントロールＣＤのトラック情報と対応付けて格納されている。ＣＤ情報は、ＰＣ８０６へ提供するヘルプおよび／または他の情報を含む。データベースサーバ８１２はデータベース８１６の更新や、インターネット８００を介してクライアントにＣＤ情報を送信する。
【００４２】
ログ管理サーバ８１４はＰＣ８０６におけるコピーコントロールＣＤの複写に関するログを記録するサーバコンピュータである。
【００４３】
図９は、図８のネットワークシステムに含まれるログ管理サーバ８１４、データベースサーバ８１２として機能するコンピュータシステムのハードウェア構成を示すブロック図である。
【００４４】
同図において、コンピュータシステム９００は、ＣＰＵ９０２などにより構成される中央処理装置、ＲＯＭ９０４やＲＡＭ９０６などにより構成される主記憶装置、ＨＤドライブ９０８により構成される外部記憶装置、キーボード９１５やマウス９１６などにより構成される入力装置、ディスプレイ９１４などにより構成される表示装置、ネットワークに接続するための通信インタフェース９１８、およびこれら各要素を通信可能に接続するシステムバス９１２を含んでいる。
【００４５】
ＨＤドライブ９０８中のＨＤ９２０およびＲＯＭ９０４には、ＯＳや種々のコンピュータプログラムが書き込まれている。このコンピュータプログラムには、インターネット上のクライアントにグラフィカルユーザインタフェース（ＧＵＩ）を提供するためのＨＴＭＬファイルやウェブサーバアプリケーションの他、ディスプレイ等の周辺機器を制御するためのデバイスドライバなどが記憶されている。コンピュータシステム９００の電源が投入されると、ＨＤドライブ９０８に含まれるＨＤ９２０やＲＯＭ９０４からＯＳやアプリケーションプログラムがＲＡＭ９０６に読み出される。
【００４６】
コンピュータシステム９００は、上記プログラムの制御の下に動作する。後述する本実施形態に関わる各コンピュータシステムの諸機能は、これらのコンピュータプログラムのプログラム命令を実行することにより達成される。
【００４７】
図１０は、ＰＣ８０６として機能するコンピュータシステムのハードウェア構成を示すブロック図である。
【００４８】
コンピュータシステム１０００は、ＣＤ−Ｒ／Ｗドライブ９１０がシステムバス９１２に接続されている点を除き図９に示すハードウェア構成と同様である。
【００４９】
ＨＤドライブ９０８中のＨＤ９２０およびＲＯＭ９０４には、ＯＳやインターネット上の情報を閲覧するためのブラウザの他、ＣＤ−Ｒ／Ｗドライブ９１０等の周辺機器を制御するためのデバイスドライバなどの種々のプログラムが記憶されている。
【００５０】
コンピュータシステム１０００は、上記プログラムの制御の下に動作する。後述する本実施形態に関わる各コンピュータシステムの諸機能は、これらのコンピュータプログラムのプログラム命令を実行することにより達成される。
【００５１】
また、本実施形態を実現するアプリケーションプログラムの実行に関連するライセンス情報が認可ＣＤに記録されている。そして、認可ＣＤがＣＤ−Ｒ／Ｗドライブ９１０にセットされると、予め記録されたライセンス情報がコンピュータシステム１０００に読み取られる。
【００５２】
実際の販売取引は現金またはクレジットを使用して行われる。クレジット取引はクレジットカードにより行われる。現金取引はプリペイドカード、または上述した認可ＣＤなどのメディアを通じて行われる。
【００５３】
（現金−プリペイド認可ＣＤ）
プリペイド認可ＣＤは街頭端末を設置した店舗等で現金で購入され、ＰＣ８０６で使用することができる。
【００５４】
（クレジットカード）
クレジットカードは、ＰＣベースの選択システムを通じてコンテンツを選択するために使用することができる。
【００５５】
（記録媒体）
購入の結果、ユーザにＣＤ、ＤＶＤ等の再生可能な物理メディアが記録媒体として提供される。本発明はコンテンツがＰＣを使用して記録媒体に記録されることを可能にする。
【００５６】
（認可ＣＤ）
認可ＣＤは、オーディオメディアが家庭のコンピュータを使用して作成されることを可能にする保護された記録媒体である。各認可ＣＤは、購入されたメディアのみがディスクに記録されることを可能にする。
【００５７】
（認可ＤＶＤ）
認可ＤＶＤは、オーディオメディアが家庭のコンピュータを通じて作成されることを可能にする保護された記録媒体である。各認可ＤＶＤは、購入されたコンテンツのみがディスクに記録されることを可能にする。
【００５８】
（本発明が提供する機構）
本発明は、ディジタルオーディオ、ビデオおよび手書きの原稿の販売に関する。ディジタルコンテンツは、音楽、オーディオブック、印刷されたメディア、定期刊行物、映画またはテレビのショーの形態でのビデオ、および生演奏の記録を含む。
【００５９】
この配信技術は、以下のものを提供する。
（１）ユーザが購入するメディアを選択するためのいくつかの機構
（２）ユーザから支払を受け取るためのいくつかの機構
（３）コンテンツ所有者にコンテンツの支払を行うためのいくつかの機構
（４）ディジタル権利管理者が著作権者を保護するためのいくつかの機構
（５）トランザクションに関連するデータの格納のためのデータ構造
【００６０】
次に、コピーコントロールＣＤに含まれる音楽の合法な抽出および販売の機構について説明する。
抽出されたトラックの記録を復号化し制御するライセンス情報を含む認可ＣＤが使用される。
なお、本実施形態はコピーコントロールを含まないＣＤについても適用することができる。
【００６１】
ＰＣ８０６では、コピーコントロールＣＤ内に暗号化されたフォーマットの音楽トラックを抽出するプログラムが使用される。
【００６２】
コピーコントロールＣＤは、ディスク上に２つのセッションが記録される技術を使用する。第１のセッションはオーディオＣＤプレイヤーにより再生されるオーディオセッションである。第２のセッションはコンピュータに挿入されるとコンピュータによりアクセスされるデータセッションである。データセッションはＣＤがコピーされるのを自動的に防止する特別なプログラムを含む。本実施形態では、データセッションの存在に係わらずディスク上の第１のセッションを読み出す特別のプログラムを使用する。
【００６３】
各オーディオディスクの最初の２００セクタ（ＬＢＡ）にはオーディオテーブル（ＴＯＣ）」が記録されている。このオーディオテーブルはディスク上の楽曲（トラック情報）およびそのディスク上のセクタでの場所のリストである。プログラムはコンテンツのオーディオテーブルを読み出し、ユーザがディスクからトラックを抽出することを許可する。プログラムはＷＡＶフォーマット内のオーディオを抽出するが、秘密の１０桁のオーディオキーを使用してＷＡＶファイルを暗号化する。１０桁のオーディオキーは最初の４０００バイトの場所をシフトし、ＷＡＶファイルを再生不可能にする。
【００６４】
記録可能な認可ＣＤは、ディスク上に暗号化され埋め込まれたライセンス情報を含む。ライセンス情報は、オーディオを復号しディスクに記録するために使用される秘密キーを含む。
【００６５】
オーディオはコピーコントロールＣＤに記録された状態で秘密キーにより復号されるので、暗号化されていないＷＡＶファイルがコンピュータ上に配置されることはない。
【００６６】
次いで、ユーザは、トラックをダウンロードすることを許可するライセンス情報を含む認可ＣＤを購入する。ディスクを記録するために使用される特別なプログラムは無料で提供することができる。
【００６７】
認可ＣＤは以下の情報を含む。
（１）固有のディスク識別子
（２）ディスクの売主または製造者
（３）プログラムのユーザへコンテンツ情報を提供するデータベースサーバへのＵＲＬ。コンテンツ情報は、ヘルプおよび／または他の情報を含む。
（４）ディスクにコピーすることができるトラック数
（５）ディスクにコピーコントロールＣＤからではない他の楽曲も記録できるかについてプログラムに知らせるフラグ
（６）ディスクに対して支払われる小売価格
（７）ディスクに対するトラックのコピーを報告する最大３つのログ管理サーバ８１４のＵＲＬ（ロギングＵＲＬ）
【００６８】
次に、図１１を参照し、本実施形態に係るコンテンツの記録制御方法の流れについて説明する。
本方法は、ユーザがＰＣ８０６にコピーコントロールＣＤを挿入することから開始される。なお、コピーコントロールＣＤの販売工程は、ユーザにＣＤレンタルストアからコピーコントロールＣＤを借りさせること、およびコピーコントロールＣＤを購入した人から借りることを含む。
【００６９】
ＰＣ８０６は、コピーコントロールＣＤがＣＤ−Ｒ／Ｗドライブ９１０に挿入されると、コピーコントロールＣＤからオーディオテーブルを読み取る（ステップＳ１２０２）。次いで、データベースサーバ８１２にオーディオテーブル内のトラック情報を送信する（ステップＳ１２０４）。データベースサーバ８１２は受信したトラック情報に対応するＣＤ情報をデータベース８１６から抽出し、ＰＣ８０６へ送信する。ＰＣ８０６はこのＣＤ情報を受信すると（ステップＳ１２０７）、ＣＤの情報とコンテンツの選択を受け付けるための画面をディスプレイ上に表示する（ステップＳ１２０８）。
【００７０】
ＣＤ情報がＣＤＤＢに格納されていない場合、ユーザはＣＤ情報（アーティスト名、タイトル等）を入力するように要求される。ここでユーザがＰＣ８０６にＣＤ情報を入力してデータベースサーバ８１２へ送信し、データベースサーバ８１２に記憶させる。これにより、アーティストおよびレコード会社が、データベースサーバ８１２の情報に基づき、記録されたトラックに対して支払いを受けることを可能とする。
【００７１】
ＰＣ８０６はコンテンツのオーディオ情報をコピーコントロールＣＤから読み取り（ステップＳ１２１０）、上記のように暗号化して一時的にＰＣ８０６内に記録する（ステップＳ１２１１）。次いで、ユーザによりＰＣ８０６に認可ＣＤが挿入されると（ステップＳ１２１２）、認可ＣＤからライセンス情報を読み取り（ステップＳ１２１４）、ライセンス情報に対応する数の範囲内でコンテンツの選択を受け付ける（ステップＳ１２１６）。ユーザによるコンテンツの選択が完了すると、ＰＣ８０６は保持したコンテンツのうち選択されたものを復号して認可ＣＤへ記録する（ステップＳ１２１８）。
【００７２】
ここで、コンテンツの選択は、ユーザにより選択されるコンテンツの数をカウントし、選択されたコンテンツの数が「ディスクにコピーすることができるトラック数」の値と等しくなったときにＰＣ８０６において自動的に完了することとしても良く、またユーザからの指示に応じて選択処理を完了することとしても良い。後者の場合、ＰＣ８０６は選択するコンテンツの数を記録媒体に記録可能な最大数よりも少なくすることができる。また、選択されたコンテンツの数が「コンテンツの配信に使用される単位」における「ディスクにより販売されるコンテンツの量」の値を超える場合はエラーダイアログをディスプレイに表示することとしても良い。
【００７３】
ＰＣ８０６は、選択されたコンテンツに係るアーティスト名およびタイトルを含むログを作成し、認可ＣＤ上に配置されたロギングＵＲＬにより特定されるログ管理サーバ８１４に、ＨＴＴＰ  ＰＯＳＴコマンドを使用してログを送信する（ステップＳ１２２０）。ＨＴＴＰ  ＰＯＳＴコマンドは、別の場所ではなくプログラムから発せられたコマンドであることを保証する隠されたキーフィールドを含む。ログ管理サーバ８１４は、このキーフィールドを参照してログの正当性を検証することができる。ここで、機密保護機能を有するインターネットの送信機構を使用してＨＴＴＰ  ＰＯＳＴコマンドを実行することとしても良い。
【００７４】
また、音楽を受信するための認可ＣＤの小売価格もまた、金銭が著作権者に支払われることを保証するためにログ管理サーバ８１４に送信することとしても良い。
【００７５】
このようにして、コンテンツの記録に関するログを作成し、ライセンス情報に対応するログ管理サーバ８１４に、作成されたログを送信する処理が実現される。
【００７６】
なお、コンテンツについてのログは、記録媒体の種類、コンテンツの著作権者、コンテンツの量を特定する情報を含むものとすることができる。この場合、コンテンツの著作権者の情報は、コンテンツに予め含められているものとすることができる。これにより、ＰＣ８０６はコピーコントロールＣＤから読み取られるコンテンツからコンテンツの著作権者を特定する情報を抽出し、ログに書き込むことができる。
【００７７】
図１２は、ステップＳ１２０８においてＰＣ８０６にインストールされたプログラムが表示する画面の一例を示す図である。同図に示す画面１４００は、コピーコントロールＣＤに関する情報を表示するエリア１４０２と、認可ＣＤに関する情報を表示するエリア１４０４とを含む。エリア１４０２にはコピーコントロールＣＤのトラック情報およびデータベースサーバ８１２からの情報を表示するエリア１４０５を含んでいる。ユーザによるマウスの操作によりエリア１４０５に表示された曲目が選択された状態でボタン１４１４が押下されると、ＰＣ８０６はコピーコントロールＣＤから選択された曲目に対応するコンテンツの抽出を行う。また、ボタン１４１２が押下されると、ＰＣ８０６はコピーコントロールＣＤから抽出された曲目に対応するコンテンツを認可ＣＤに記録する。また、ボタン１４１６が押下されると、コピーコントロールＣＤのトラック情報を再度読み取る。一方、エリア１４０４には、認可ＣＤのディスクＩＤ、記録された楽曲の数等を表示するエリア１４２０、および認可ＣＤ内の情報を再度読み取るために操作されるボタン１４１８を含む。
【００７８】
以上説明したように、本実施形態により、コンテンツの供給先記録媒体である認可ＣＤから、該供給先記録媒体に記録可能なコンテンツの数を特定する情報を含むライセンス情報を読み取り、供給元記録媒体であるコピーコントロールＣＤからライセンス情報に対応する数の範囲内のコンテンツを読み取り、読み取られたコンテンツを供給先記録媒体に記録する処理が実現される。
【００７９】
（他の実施形態）
上述の実施形態ではログ管理サーバ、データベースサーバをそれぞれ異なるサーバコンピュータとして記述したが、これらの少なくとも２つが１つのハードウェアに実装されるものとしてもよい。また、各サーバコンピュータが複数のハードウェアから構成されるものであってもよい。
【００８０】
上述した形態以外にも種々の変形が可能である。しかしながら、その変形が特許請求の範囲に記載された技術思想に基づくものである限り、その変形もまた本発明の技術範囲内となる。
【図面の簡単な説明】
【００８１】
【図１】本発明の一実施形態に係るライセンス情報を含むコンパクトディスクの記録可能な面を示す図である。
【図２】本発明の一実施形態に係るディスクの有用性に影響を与えない方法でディスクにライセンス情報を埋め込むために使用される工程を説明する図である。
【図３】本発明の一実施形態に係るレコードの範囲内に含まれる情報の種類を示すライセンス情報を示す図である。
【図４】本発明の一実施形態に係るユーザがインターネット上に配置されたコンテンツをアクセスしダウンロードするシステムおよび本発明により動作するディスクを記録するために使用する基本的な構成要素を示す図である。
【図５】本発明によりユーザが複写元記録媒体から複写先記録媒体にコンテンツを記録するシステムを示す図である。
【図６】本発明によりディスク媒体に記録されたコンテンツを示すログエントリのサンプルを示す図である。
【図７】ライセンスデータを記録媒体に記録するために使用される方法を示す図である。
【図８】本発明の一実施形態に係るネットワークシステムを示すシステム構成図である。
【図９】本発明の一実施形態に係るサーバコンピュータのハードウェア構成を示すブロック図である。
【図１０】本発明の一実施形態に係るコンテンツの記録制御装置のハードウェア構成を示すブロック図である。
【図１１】本発明の一実施形態に係るコンテンツの記録制御方法の手順を示すフローチャートである。
【図１２】本発明の一実施形態に係るＰＣのディスプレイ上に表示される画面を示す図である。
【符号の説明】
【００８２】
１１０  ライセンスエリア
１２０  ブランクエリア
１３０  ライセンス情報
１４０  オーディオトラック
２００  記録媒体
２１０  ユーザコンピュータシステム
２２０  デスクトップアプリケーション
２３０  コンテンツ管理サーバ
２４０  ログ管理サーバ
２５０  記録媒体
２７０  ユーザコンピュータシステム
８００  インターネット
８０６  ＰＣ
８１２  データベースサーバ
８１４  ログ管理サーバ
８１６  データベース
【図１】
2005327324.tif 000003
【図２】
2005327324.tif 000004
【図３】
2005327324.tif 000005
【図４】
2005327324.tif 000006
【図５】
2005327324.tif 000007
【図６】
2005327324.tif 000008
【図７】
2005327324.tif 000009
【図８】
2005327324.tif 000010
【図９】
2005327324.tif 000011
【図１０】
2005327324.tif 000012
【図１１】
2005327324.tif 000013
【図１２】
2005327324.tif 000014